(57)【特許請求の範囲】
【請求項１】
インク供給部品（５０）から供給されたインクを吐出する複数のノズル（１２０）を有するインクジェットヘッドであって、 該ノズル（１２０）毎にそなえられそれぞれインクを充塞される複数の圧力室（１１２）と、該圧力室（１１２）毎にそなえられそれぞれ該圧力室（１１２）を加圧して該圧力室（１１２）内のインクを該ノズル（１２０）から吐出させる複数の加圧部（１４０）とを含むヘッド本体部（３）をそなえ、該ヘッド本体部（３）は、基板（１２２）上で形成されたものであり、該ヘッド本体部（３）に該インク供給部品（５０）を接合すべく該ヘッド本体部（３）から突設された接合部（８）をそなえ、 該加圧部（１４０）毎に、該加圧部（１４０）を駆動するための個別電極（１０９）をそなえるとともに、 該加圧部（１４０）を制御するための信号を供給する外部接続配線部材（２）に接続される少なくとも１つの接点部（１２１）をそなえ、 該個別電極（１０９）と該接点部（１２１）とを電気的に接続する配線パターン（１２３）が薄膜形成されるとともに、該接合部（８）は、該基板（１２２）を該ヘッド本体部（３）から部分的に除去することにより、該ヘッド本体部（３）上の該基板（１２２）の残存部として一体形成された枠状の構造体であることを特徴とする、インクジェットヘッド。
【請求項２】
該個別電極（１０９），該接点部（１２１）および該配線パターン（１２３）が、同一面内において同一材料により一体的に薄膜形成されていることを特徴とする、請求の範囲第１項記載のインクジェットヘッド。
【請求項３】
該接合部（８）が、該個別電極（１０９），該接点部（１２１）および該配線パターン（１２３）を形成された面上において、該個別電極（１０９）を環囲するように形成されるとともに、 該接点部（１２１）が、該接合部（８）よりも外側に配設されていることを特徴とする、請求の範囲第１項または第２項に記載のインクジェットヘッド。
【請求項４】
該接合部（８）が、該個別電極（１０９）を形成された面上において該個別電極（１０９）を環囲するように、且つ、該ヘッド本体部（３）の周縁よりも外方へ突出するように形成され、 該接点部（１２１）が、該接合部（８）側において該ヘッド本体部（３）の周縁よりも外方に配置されていることを特徴とする、請求の範囲第１項または第２項に記載のインクジェットヘッド。
【請求項５】
該配線パターン（１２３）は、該ヘッド本体部（３）と該接合部（８）との間を通過するように配設されたことを特徴とする、請求の範囲第１項または第２項に記載のインクジェットヘッド。
【請求項６】
該接合部（８）が、該外部接続配線部材（２）の該接点部（１２１）に対する位置決めを行なう位置決め部（８２，８３）として機能することを特徴とする、請求の範囲第３項記載のインクジェットヘッド。
【請求項７】
該外部接続配線部材（２）の端面を該接合部（８）の外周面に当接させることにより、該外部接続配線部材（２）の該接点部（１２１）に対する位置決めが行なわれることを特徴とする、請求の範囲第６項記載のインクジェットヘッド。
【請求項８】
該基板（１２２）を該ヘッド本体部（３）から部分的に除去することにより、該外部接続配線部材（２）の該接点部（１２１）に対する位置決めを行なうための位置決め部（８２，８３）が、該ヘッド本体部（３）上の該基板（１２２）の残存部として一体形成された枠状または円柱状の構造体であることを特徴とする、請求の範囲第３項記載のインクジェットヘッド。
【請求項９】
該外部接続配線部材（２）側に形成された位置合わせ穴（２ｂ）を該位置決め部（８３）に嵌合させることにより、該外部接続配線部材（２）の該接点部（１２１）に対する位置決めが行なわれることを特徴とする、請求の範囲第８項記載のインクジェットヘッド。
【請求項１０】
該外部接続配線部材（２）が、ＦＰＣ（Ｆｌｅｘｉｂｌｅ Ｐｒｉｎｔｅｄ Ｃｉｒｃｕｉｔ Ｂｏａｒｄ）であり、且つ、ＴＡＢ（Ｔａｐｅ Ａｕｔｏｍａｔｅｄ Ｂｏｎｄｉｎｇ）方式により該接点部（１２１）に電気的に接続されることを特徴とする、請求の範囲第１項〜第９項のいずれか１項に記載のインクジェットヘッド。
【請求項１１】
該加圧部（１４０）が、該個別電極（１０９）と、該圧力室（１１２）の一部を成す振動板（１０４）と、該振動板（１０４）を駆動して該圧力室（１１２）を加圧する圧電素子（１０８）とをそなえて構成されていることを特徴とする、請求の範囲第１項〜第１０項のいずれか１項に記載のインクジェットヘッド。
【請求項１２】
該振動板（１０４）は、該ヘッド本体部（３）の隅部付近で露出して該接点部を形成していることを特徴とする請求項の範囲第１１項に記載のインクジェットヘッド。
【請求項１３】
インク供給部品（５０）から供給されたインクを吐出する複数のノズル（１２０）を有するインクジェットヘッドをそなえた印刷装置であって、 該インクジェットヘッドが、 該ノズル（１２０）毎にそなえられそれぞれインクを充塞される複数の圧力室（１１２）と、該圧力室（１１２）毎にそなえられそれぞれ該圧力室（１１２）を加圧して該圧力室（１１２）内のインクを該ノズル（１２０）から吐出させる複数の加圧部（１４０）とを含むヘッド本体部（３）をそなえて構成され、該ヘッド本体部（３）は、基板（１２２）上で形成されたものであり、該ヘッド本体部（３）に該インク供給部品（５０）を接合すべく該ヘッド本体部（３）から突設された接合部（８）をそなえ、 該加圧部（１４０）毎に、該加圧部（１４０）を駆動するための個別電極（１０９）をそなえるとともに、 該加圧部（１４０）を制御するための信号を供給する外部接続配線部材（２）に接続される少なくとも１つの接点部（１２１）をそなえ、 該個別電極（１０９）と該接点部（１２１）とを電気的に接続する配線パターン（１２３）が薄膜形成されるとともに、該接合部（８）は、該基板（１２２）を該ヘッド本体部（３）から部分的に除去することにより、該ヘッド本体部（３）上の該基板（１２２）の残存部として一体形成された枠状の構造体であることを特徴とする、印刷装置。
【発明の詳細な説明】
【０００１】
【技術分野】
本発明は、インク供給部品から供給されたインクを吐出する複数のノズルを有するインクジェットヘッドに関し、例えばインクジェットプリンタの印字ヘッドに用いて好適なインクジェットヘッド、および、そのインクジェットヘッドをそなえた印刷装置に関する。
【０００２】
【背景技術】
インクジェットプリンタは、複数のノズルを有するインクジェットヘッドによってインク滴を噴射させ、このインク滴を印刷用紙等の記録媒体に直接付着させる方式の印刷装置であり、例えば、インクジェットヘッドを印刷用紙の幅方向に往復移動させながら、このインクジェットヘッドの移動方向と直交する方向に印刷用紙を搬送することにより印刷用紙に印刷を行なうようになっている。
【０００３】
図３４および図３５はともに従来のインクジェットヘッドの構造を説明するための図であって、図３４は特開平６−９９５８０号公報に開示された従来のインクジェットヘッドの要部構成を説明するための分解斜視図、図３５はそのインクジェットヘッドにおける配線手法を説明するための図である。
【０００４】
従来のインクジェットヘッドは、例えば特開平６−９９５８０号公報に開示されており、図３４および図３５に示すように、複数（図中では６４個）のノズル３１２が削孔して形成されたノズル板３１０と、これらの各ノズル３１２に対応して形成された複数（図中では６４個）のインク室３１３を有する基板３１１とをそなえて構成されている。
【０００５】
基板３１１においては、図示しないインクタンクに連通するインク供給口３１８が形成されており、このインク供給口３１８と各インク室３１３とを連通接続するインク供給路３１４が形成されている。
【０００６】
そして、基板３１１におけるインク室３１３が形成されている側（図３４中では上側）の面には、ノズル板３１０が貼着されるようになっており、このノズル板３１０を基板３１１に貼着することにより、各インク室３１３およびインク供給路３１４の内部にインクを充塞することができるようになっており、インクタンクから供給されたインクを、このインク供給路３１４を介して各インク室３１３に供給することができるのである。
【０００７】
また、基板３１１において、各インク室３１３におけるノズル板３１０と対向する面は、それぞれ図示しない振動板によって形成されており、これにより、各インク室３１３は振動板とノズル板３１０とによって挟まれた空間として形成されている。更に、各振動板における該インク室３１３とは反対側（図３４中では下側）には、それぞれ圧電素子３１５が配設されており、これらの振動板と圧電素子３１５とによりバイモルフ積層体が形成されている。
【０００８】
各圧電素子３１５における振動板とは反対側（図３４中では下側）の面には、それぞれ個別電極（図示省略）が形成されており、これらの個別電極は、ワイヤ３１７を用いたワイヤボンディングによってＦＰＣ（Ｆｌｅｘｉｂｌｅ Ｐｒｉｎｔｅｄ Ｃｉｒｃｕｉｔ Ｂｏａｒｄ：フレキシブルプリント板）３１６Ａ〜３１６Ｄに電気的に接続されている。なお、上述した振動板も導電性を有する部材により形成されている。
【０００９】
また、各ＦＰＣ３１６Ａ〜３１６Ｄは図示しないコネクタ等を介して同じく図示しない印字信号発生器に接続されており、この印字信号発生器から各個別電極および振動板に対して印字信号を発信することにより、各圧電素子３１５がインク室３１３をそれぞれ加圧して、これにより各ノズル３１２からインクを吐出するのである。
【００１０】
しかしながら、このような従来のインクジェットヘッドでは、各圧電素子３１５の個別電極とＦＰＣ３１６Ａ〜３１６Ｄとをワイヤ３１７を用いたワイヤボンディングによって接続しているので、各個別電極の上側、すなわち、基板３１１におけるノズル板３１０の貼着面側とは反対側において、ワイヤボンディングによりワイヤ３１７を配線するための空間を確保しなければならないので、ノズル３１２の実装密度を上げることができず、インクジェットヘッドを小型化することができないという課題がある。
【００１１】
また、ワイヤ３１７を空中配線（ワイヤボンディング）により接続しているので、ワイヤ３１７間において短絡が生じるおそれがあり、更に、各圧電素子３１５とＦＰＣ３１６Ａ〜３１６Ｄとをワイヤボンディングによって結線する際に、圧電素子３１５等を損傷させるおそれもある。
【００１２】
さらに、複数のノズル列をそなえた多ノズル構成のインクジェットヘッドにおいては、各ノズル（個別電極）列毎に圧電素子の電気接点列を形成する必要があり、これらの電気接点列毎にワイヤ３１７の接続をしなければならないので、インクジェットヘッドの製造効率が低いという課題もある。
【００１３】
またさらに、ワイヤボンディングにおいては、その接点ピッチの狭小化には限界があり、例えば、接点ピッチが約６０μｍ以下（ノズルピッチで４５０ｄｐｉ相当以上）の場合には、量産時における製造安定性が低下するおそれもある。
【００１４】
なお、各個別電極にＦＰＣ３１６Ａ〜３１６Ｄを、直接、半田付けする手法も一般に知られているが、この手法においても、上述したワイヤボンディングを用いた手法と同様の課題が生じる。
【００１５】
本発明は、このような課題に鑑み創案されたもので、外部接続配線部材との結線が容易であり製造効率を向上できるとともに信頼性が高く、又、インクジェットヘッドひいては印刷装置を小型化できるようにすることを目的とする。
【００１６】
【発明を解決するための手段】
このため、本発明のインクジェットヘッドは、インク供給部品から供給されたインクを吐出する複数のノズルを有するインクジェットヘッドであって、ノズル毎にそなえられそれぞれインクを充塞される複数の圧力室と、これらの圧力室毎にそなえられそれぞれ圧力室を加圧して圧力室内のインクをノズルから吐出させる複数の加圧部とを含むヘッド本体部をそなえ、ヘッド本体部は、基板上で形成されたものであり、ヘッド本体部にインク供給部品を接合すべくヘッド本体部から突設された接合部をそなえ、加圧部毎に、加圧部を駆動するための個別電極をそなえるとともに、加圧部を制御するための信号を供給する外部接続配線部材に接続される少なくとも１つの接点部をそなえ、個別電極と接点部とを電気的に接続する配線パターンが薄膜形成されるとともに、接合部は、基板をヘッド本体部から部分的に除去することにより、ヘッド本体部上の基板の残存部として一体形成された枠状の構造体であることを特徴としている。
【００１７】
これにより、各個別電極と外部接続配線部材との電気的な接続を容易に行なうことができるのでインクジェットヘッドの製造効率を向上できるほか、各個別電極と接点部とを確実に電気的に接続することができ、信頼性を向上させることができ、更に、ワイヤボンディング（空中配線）用の空間が不要なのでインクジェットヘッドひいては印刷装置を小型化することができる利点がある。
【００１８】
また、個別電極と接点部とを電気的に接続する配線パターンを薄膜成形することにより、各個別電極の上方において、各個別電極と外部接続配線部材とを接続する配線を配設するための空間が不要なので、インクジェットヘッドの形状に自由度を持たせることができるほか、インクジェットヘッドを小型化することができる利点がある。また、ヘッド本体部にインク供給部品を接合すべくヘッド本体部から突接された接合部をそなえたことにより、インク供給部品を容易に且つ確実にヘッド本体部に接合することができ、又、ヘッド本体部の剛性を上げることができる利点がある。さらに、ヘッド本体部が基板上に形成されるとともに、接合部は、基板をヘッド本体部から部分的に除去することにより、ヘッド本体部上の基板の残存部として一体形成された枠状の構造体としたことにより、基板の形成過程において接合部を容易に且つ確実に形成することができるので製造コストを低減することができる利点がある。
【００１９】
なお、個別電極，接点部および配線パターンを、同一面内において同一材料により一体的に薄膜成形してもよく、これによりインクジェットヘッドを安価に且つ容易に製造することができる利点がある。
【００２２】
また、接合部を、個別電極を形成された面上において、個別電極を環囲するように形成するとともに、接点部を、接合部よりも外側に配設してもよく、又、接合部を、個別電極，接点部および配線パターンを形成された面上において個別電極を環囲するように、且つ、ヘッド本体部の周縁よりも外方へ突出するように形成し、接点部を、接合部側においてヘッド本体部の周縁よりも外方に配置してもよく、これらにより、ヘッド本体部の剛性を上げることができるほか、外部接続配線部材を接点部に容易に接続することができる利点がある。
【００２３】
さらに、接合部を、外部接続配線部材の接点部に対する位置決めを行なう位置決め部として機能させてもよく、これにより、外部接続配線部材を確実に接点部に接続することができ、信頼性を向上させることができる利点がある。
【００２４】
なお、外部接続配線部材の端面を接合部の外周面に当接させることにより、外部接続配線部材の接点部に対する位置決めを行なってもよく、これにより、外部接続配線部材の接点部に対する位置決めを確実に行なうことができる利点がある。
【００２５】
また、基板をヘッド本体部から部分的に除去することにより、外部接続配線部材の接点部に対する位置決めを行なうための位置決め部を、ヘッド本体部上の基板の残存部として形成してもよく、これによっても、外部接続配線部材の接点部に対する位置決めを確実に行なうことができるほか、位置決め部を容易に形成することができる利点がある。
【００２６】
さらに、外部接続配線部材側に形成された位置合わせ穴を位置決め部に嵌合させることにより、外部接続配線部材の接点部に対する位置決めを行なってもよく、これによっても外部接続配線部材の接点部に対する位置決めを確実に行なうことができる利点がある。
【００２７】
なお、外部接続配線部材が、ＦＰＣ（Ｆｌｅｘｉｂｌｅ Ｐｒｉｎｔｅｄ Ｃｉｒｃｕｉｔ Ｂｏａｒｄ）であり、且つ、ＴＡＢ（Ｔａｐｅ Ａｕｔｏｍａｔｅｄ Ｂｏｎｄｉｎｇ）方式により接点部に電気的に接続されてもよく、又、加圧部を、個別電極と、圧力室の一部を成す振動板と、振動板を駆動して圧力室を加圧する圧電素子とをそなえて構成してもよく、これらにより、本発明を確実に実現することができる利点がある。
【００２８】
また、本発明の印刷装置は、インク供給部品から供給されたインクを吐出する複数のノズルを有するインクジェットヘッドをそなえた印刷装置であって、インクジェットヘッドが、ノズル毎にそなえられそれぞれインクを充塞される複数の圧力室と、これらの圧力室毎にそなえられそれぞれ圧力室を加圧して該圧力室内のインクをノズルから吐出させる複数の加圧部とを含むヘッド本体部をそなえて構成され、加圧部毎に、加圧部を駆動するための個別電極をそなえるとともに、加圧部を制御するための信号を供給する外部接続配線部材に接続される少なくとも１つの接点部をそなえ、個別電極と接点部とを電気的に接続する配線パターンが薄膜成形されていることを特徴としている。
【００２９】
これにより、各個別電極と外部接続配線部材との電気的な接続を容易に行なうことができるので印刷装置の製造効率を向上できるほか、各個別電極と接点部とを確実に電気的に接続することができ、信頼性を向上させることができ、更に、ワイヤボンディング（空中配線）用の空間が不要なので、印刷装置を小型化することができる利点がある。
【００３０】
【発明を実施するための最良の形態】
（Ａ）第１実施形態の説明
以下、図面を参照して本発明の実施の形態を説明する。
【００３１】
図１は本発明の第１実施形態としてのインクジェットヘッドの全体構成を示す分解斜視図、図２は本第１実施形態のインクジェットヘッドをそなえたインクジェットプリンタの構成を示す斜視図である。
【００３２】
インクジェットプリンタ１は、印刷用紙２００にインクを吐出することによってその表面に画像を形成する印刷装置であって、ハウジング１０内に、プラテン１２，キャリッジ１８，ノズル保守機構３６，インクジェットヘッドユニット２４，２６およびインクタンク２８，３０，３２，３４をそなえて構成されている。
【００３３】
プラテン１２は、本インクジェットプリンタ１における印刷用紙２００の搬送方向と直交するようにハウジング１０に回転自在に取り付けられている。又、プラテン１２は、駆動モータ１４により間欠的に回転駆動されるようになっており、これにより、印刷用紙２００を所定の送りピッチで図２中の矢印Ｗ方向に間欠的に搬送するようになっている。
【００３４】
また、ハウジング１０内におけるプラテン１２の上方には、プラテン１２と平行に案内ロッド１６が配設されており、更に、この案内ロッド１６にはキャリッジ１８が摺動可能に取り付けられている。
【００３５】
このキャリッジ１８は、案内ロッド１６と平行に配設された無端駆動ベルト２０に取り付けられ、又、この無端駆動ベルト２０は駆動モータ２２によって駆動されるようになっており、これによりキャリッジ１８はプラテン１２に沿って往復移動するようになっている。そして、このキャリッジ１８にはインクジェットヘッドユニット２４，２６がそれぞれ着脱自在に取り付けられるようになっている。
【００３６】
インクジェットヘッドユニット２４，２６はインクジェットヘッド１００にインクタンク２８，３０，３２，３４をそれぞれ接合されている。ここで、インクジェットヘッドユニット２４には黒色のインクが収容されたインクタンク２８が取り付けられており、又、インクジェットヘッドユニット２６には、イエローのインクが収容されたインクタンク３０，マゼンタのインクが収容されたインクタンク３２およびシアンのインクが収容されたインクタンク３４が取り付けられている。
【００３７】
そして、キャリッジ１８がプラテン１２に沿って往復移動される間に、インクジェットヘッドユニット２４，２６が、図示しないパーソナルコンピュータ等の上位装置から得られる画像データに基づいて駆動され、これにより印刷用紙２００上に所定の文字，画像等が形成されて印刷が行なわれる。
【００３８】
また、印刷停止時においては、キャリッジ１８（インクジェットヘッド２４，２６）はノズル保守機構３６が配設されている位置（ホームポジション）に移動されるようになっている。
【００３９】
ノズル保守機構３６は、可動吸引キャップ（図示せず）と、この可動吸引キャップに接続された吸引ポンプ（図示せず）とをそなえて構成されており、インクジェットヘッドユニット２４，２６がホームポジションに移動された時に、各インクジェットヘッドユニット２４，２６にノズル板（後述する）に吸引キャップが吸着して、吸引ポンプを駆動することにより、各ノズル板のノズルが吸引されノズルの目詰まりが未然に防止されるようになっている。
【００４０】
次に、図１、図３〜図７を用いて本発明の第１実施形態としてのインクジェットヘッド１００の構成について説明する。
【００４１】
図３は本第１実施形態のインクジェットヘッドのヘッド本体部の内部構成を説明するべく図１に示すヘッド本体部の水平断面を示す斜視図、図４は図１のＣ部を拡大して示す図、図５は図４のＡ−Ａ矢視断面図、図６は図５のＢ−Ｂ矢視断面図、図７はその接合部を示す断面図である。
【００４２】
本第１実施形態のインクジェットヘッド１００は、インクタンク（インク供給部）５０から供給されたインクを吐出する複数のノズル１２０（図５参照）を有するものであって、図１に示すように、ヘッド本体部３および接合部８をそなえて構成されている。
【００４３】
ヘッド本体部３は、図４〜図６に示すように、その内部にインク共通路１１０をそなえるとともに、複数のノズル１２０のそれぞれに、圧力室１１２，加圧部１４０およびインク供給路１１４をそなえて構成されている。
【００４４】
なお、本第１実施形態のインクジェットヘッド１００のヘッド本体部３は、図５に示すように、ドライフィルムレジスト１０３ａ〜１０３ｅ，振動板１０４，ステンレス板１０５ａ，１０５ｂ，ポリイミド１２６，個別電極１０９およびノズル板１０６等の複数の層を積層して構成されるものであるが、この積層による製造工程については後述する。
【００４５】
圧力室１１２は、インクを充塞するものであって、ノズル１２０に導通路１１６を介して連通接続されている。
【００４６】
加圧部１４０は、圧力室１１２を加圧してこの圧力室１１２内のインクをノズル１２０から吐出するためのものであって、振動板１０４と圧電素子１０８とによって構成されている。
【００４７】
振動板１０４は、例えば、クロムやニッケル等の導電性をそなえるとともにある程度の剛性を有する弾性変形可能な金属薄膜（数μｍ程度の厚さ）により形成されており、圧力室１１２の一部、具体的には、圧力室１１２における導通路１１６が形成されている面と対向する面を成している。
【００４８】
また、振動板１０４における圧力室１１２とは反対側の面には薄膜状の圧電素子１０８が形成されている。この圧電素子１０８はピエゾセラミック等により構成されており、これらの振動板１０４と圧電素子１０８とによりバイモルフ積層体が形成されている。
【００４９】
また、圧電素子１０８における振動板１０４とは反対側の面には個別電極１０９が形成されており、図示しない駆動回路から振動板１０４と個別電極１０９とに駆動信号を供給することにより各加圧部１４０において圧電素子１０８が変形して、圧力室１１２を加圧するようになっている。すなわち、各圧力室１１２毎に各加圧部１４０を駆動するための個別電極１０９をそなえているのである。
【００５０】
インク供給路１１４は、インクタンク５０から供給されるインクを圧力室１１２に供給するためのものであって、後述するインク共通路１１０と圧力室１１２とを連通接続するものであり、本第１実施形態においては各圧力室１１２毎に４本ずつ形成されている。
【００５１】
なお、このインク供給路１１４の数や配置位置についてはこれに限定するものではなく、本発明の趣旨を逸脱しない範囲で種々変形して実施することができる。
【００５２】
インク共通路１１０は、図３に示すように、ヘッド本体部３の内部に設けられたＵ字型の空間として形成されており、又、そのほぼ中心位置において連通路８１に連通接続されている。そして、このインク共通路１１０はインク供給路１１４およびインクタンク５０のインク供給口５１と連通接続されている。
【００５３】
また、インク共通路１１０およびインク供給路１１４は、圧力室１１２の急激な内部圧力変動を吸収するようにインクの流体抵抗が調節されており、又、圧力室１１２が収縮加圧されてインクを吐出した後、復帰する際にインク供給路１１４を介して圧力室１１２に必要量のインクを供給するようになっている。なお、かかるインクの供給についてもインクの流体抵抗の調節に基づいて行なわれるようになっている。
【００５４】
さらに、このインク共通路１１０に対して枝葉状に複数の圧力室１１２が配設されており、これらの圧力室１１２とインク共通路１１０とは前述したインク供給路１１４を介して連通接続されている。
【００５５】
なお、各圧力室１１２は図４および図６の矢印Ｃ方向に整列するように配設されている。
【００５６】
接合部８は、図１に示すように、ヘッド本体部３におけるノズル１２０が形成されている側とは反対側（ヘッド本体部３における個別電極１０９が形成されている側）の面に突出して形成されており、又、ヘッド本体部３における個別電極１０９を形成された面上においてこれらの個別電極１０９を環囲するように形成されている。
【００５７】
すなわち、接合部８は、個別電極１０９，接点部（後述）および配線パターン（後述）を形成された面上において、個別電極１０９を環囲するように形成されているのである。
【００５８】
この接合部８は、後述するごとく、酸化マグネシウム（ＭｇＯ）により生成された基板をフォトエッチング処理によりヘッド本体部３から部分的に除去することにより、ヘッド本体部３上の基板の残存部として形成されている。そして、図７に示すように、この接合部８に接着剤等を用いてインクタンク（インク供給部品）５０を接合することにより、ヘッド本体部３にインクタンク５０（インクタンク固定用部材）を接合するのである。
【００５９】
なお、この接合部８に接合するのは上述のごときインクタンク５０に限定するものではなく、例えば、インクタンク５０を着脱自在にそなえることができる部材（インクタンク固定用部材；図示せず）であってもよい。
【００６０】
また、この接合部８は、図５および図７に示すように、上方に行くほどの幅が狭くなるような断面形状を有しており、これによりインクタンク５０等との接着面からはみ出した接着剤がその斜面により保持され、はみ出した接着剤がヘッド本体部３に到達することを防ぐことができるようになっている。
【００６１】
ヘッド本体部３における個別電極１０９が形成された面上において、ヘッド本体部３の外縁部付近、具体的には接合部８よりも外側には、複数の接点部１２１が形成されている。
【００６２】
これらの接点部１２１は個別電極１０９毎に形成されており、更に、これらの接点部１２１と個別電極１０９とは、それぞれ薄膜形成された配線パターン１２３により電気的に接続されている。
【００６３】
そして、これらの接点部１２１は、加圧部１４０を制御するための信号を供給するＦＰＣ（Ｆｌｅｘｉｂｌｅ Ｐｒｉｎｔｅｄ Ｃｉｒｃｕｉｔ Ｂｏａｒｄ：外部接続配線部材）２に、ＴＡＢ（Ｔａｐｅ Ａｕｔｏｍａｔｅｄ Ｂｏｎｄｉｎｇ）方式により電気的に接続されるようになっている。
【００６４】
なお、振動板１０４上における圧電素子１０８や個別電極１０９不在の領域には、ポリイミド１２６を配設して電気的に絶縁している。
【００６５】
次に、各個別電極１０９と接点部１２１とを電気的に接続する配線パターン１２３の形状について、図８〜図１０を用いて説明する。
【００６６】
図８〜図１０はそれぞれ配線パターン１２３の形状を説明するための図であり、図８は本発明の第１実施形態としてのインクジェットヘッドの配線パターンの要部を拡大して示す平面図、図９は図８のＡ−Ａ線に沿う断面図、図１０は図８のＢ−Ｂ線に沿う断面図である。
【００６７】
なお、図９および図１０中においては、便宜上、ドライフィルムレジスト１０３ａ〜１０３ｅやステンレス板１０５ａ，１０５ｂ等による積層構造の図示を省略している。
【００６８】
各接点部１２１は図８に示すように、ヘッド本体部３における個別電極１０９等が形成されている面上において、接合部８よりも外側（周縁側）に形成されており、これらの接点部１２１と各個別電極１０９とは、それぞれ配線パターン１２３により電気的に接続されている。
【００６９】
配線パターン１２３は、後述する如く、ヘッド本体部３上に個別電極１０９および接点部１２１とともにパターニングにより形成されており、これにより個別電極１０９および接点部１２１と同一面上に同一材料により一体的に薄膜形成されている。
【００７０】
そして、これらの配線パターン１２３は、図８〜図１０に示すように、それぞれ各個別電極１０９の長手方向（図８中では左右方向）とほぼ平行に、各個別電極１０９（圧力室１１２）どうしの間を通るように配設されており、更に、各配線パターン１２３は、図９に示すように、接合部８の下側、すなわち、ヘッド本体部３と接合部８との間を通過するように配設されている。
【００７１】
また、ヘッド本体部３においては、図８に示すように、ヘッド本体部３における個別電極１０９等が形成されている側の面上において、接合部８よりも外側であってヘッド本体部３の隅部付近に振動板１０４が露出しており、これにより接点部１２７を形成している。
【００７２】
そして、これらの接点部１２１，１２７にＦＰＣ２がＴＡＢ等の方式によって電気的に接続されるようになっており、これにより、図７に示すように接合部８にインクタンク５０（インクタンク固定用部材）を接合した場合にもその影響を受けることなく、加圧部１４０を制御するための信号を供給するＦＰＣ２に各個別電極１０９および振動版１０４を電気的に接続することができるようになっている。
【００７３】
なお、この接点部１２７においては、他の接点部１２１よりも圧電素子１０８および個別電極１０９の厚さ分だけ低くなっているが、例えば、圧電素子１０８の厚さは２〜３μｍ程度であり、又、個別電極１０９の厚さは０．２μｍ程度と十分に薄いのでＦＰＣ２等を圧着接続するうえで影響はない。
【００７４】
次に、図１１〜図１４を用いて本発明のインクジェットヘッドの製造方法について説明する。図１１は本第１実施形態のインクジェットヘッドの製造方法を説明するための図、図１２〜図１４はその製造方法を説明するためのフローチャートである。
【００７５】
さて、本第１実施形態のインクジェットヘッド１００は、ドライフィルムレジストを用いたパターニング手法を用いて製造するものであって、３層を別々に形成してからこれらを約１５０℃で加熱して二重接合してキュアすることにより行なう（図１２のステップＡ１０〜Ａ４０）。なお、図１１中においては、便宜上隣接する２つの圧力室の部分のみを図示する。又、図１２に示すステップＡ１０〜Ａ４０の各行程については、それぞれ他のステップに先立って行なってもよく、又、並行して行なってもよい。
【００７６】
先ず、図１１（Ａ）および図５に示すように、ノズル１２０を穿孔されたノズル板１０６（（Ａ）層）をステンレス（ＳＵＳ）等の金属によりマイクロプレス加工により形成する（ステップＡ１０）。各ノズル１２０は、ピンを使用したパンチ（図示せず）等により、好ましくは、ノズル板１０６の前面１０６ａから（ステンレス板１０５ｂに接合される）後面１０６ｂに向かって広がる円錐状（断面的にテーパー状）に加工する。
【００７７】
ここで、ステンレス板１０５ｂとノズル板１０６とを一体的に構成せずにステンレス板１０５ｂにノズル板１０６を接合することにより、かかる円錐状のノズル１２０を形成することができる。
【００７８】
次に、図１１（Ｂ）に示すように、ステンレス板１０５ｂにドライフィルムレジストをラミネートした（Ｂ）層を形成する（図１２のステップＡ２０）。より詳細には、図１３に示すステップＢ１０〜Ｂ５０に従って（Ｂ）層が形成される。
【００７９】
まず、図１１（Ｂ）（１）に示すように、剛性のあるステンレス板１０５ｂをエッチングして導通路１１６およびインク共通路１１０を形成する（図１３のステップＢ１０）。なお、エッチングに必要な装置等は当業者には明らかであるのでその詳細な説明は省略する。
【００８０】
次に、図１１（Ｂ）（２）に示すように、ステンレス板１０５ｂに１層目のドライフィルムレジスト１０３（図５中のドライフィルムレジスト１０３ｅに相当）をラミネートして圧力室１１２とインク共通路１１０とに相当する部分をマスク処理により露光する（図１３のステップＢ２０）。
【００８１】
なお、ドライフィルムレジストのラミネートおよび露光を実現するための装置に関しては当業者にとって明らかであるのでその詳細な説明は省略する。
【００８２】
また、ドライフィルムレジスト１０３を用いる場合には、剛性を有する部材（例えば、ステンレス板１０５ｂ，ノズル板１０６，ＭｇＯ基板１２２等）を基板として使用し、その上にラミネートした後接合することが望ましい。又、剛性を有する部材としては、上述したステンレス板やＭｇＯ基板に限定されることはなく、本発明の趣旨を逸脱しない範囲で種々変形して実施することができる。
【００８３】
次に、図１１（Ｂ）（３）に示すように、２層目のドライフィルムレジスト１０３（図５中のドライフィルムレジスト１０３ｄに相当）を１層目のドライフィルムレジスト１０３（１０３ｅ）上にラミネートして圧力室１１２，インク供給路１１４およびインク共通路１１０に相当する部分をマスク処理により露光する（図１３１３のステップＢ３０）。
【００８４】
さらに、図１１（Ｂ）（４）に示すように、ステンレス板１０５ｂの裏面にドライフィルムレジストを接着層としてラミネートして導通路１１６とインク共通路１１０に相当する部分をマスク処理により露光する（図１３のステップＢ４０）。なお、便宜上、図５中においてはこの接着層を省略している。
【００８５】
そして、基板の両面のドライフィルムレジストを現像することにより、図１１（Ｂ）（５）に示すように、（Ｂ）層を形成する（図１３のステップＢ５０）。
【００８６】
また、図１１（Ｃ）に示すような、バイモルフ積層体とドライフィルムレジストとをラミネートして形成される（Ｃ）層を形成する（図１２のステップＡ３０）。
【００８７】
（Ｃ）層は、ドライフィルムレジストを３層そなえて構成されており、図１２のステップＡ３０は、より詳細には図１４に示すステップＣ１０〜Ｃ７０からなる。
【００８８】
まず、図１１（Ｃ）（１）に示すように、ＭｇＯ基板１２２上に個別電極１０９，接点部１２１および配線パターン１２３をパターニングした後（図１４のステップＣ１０）、その上に、圧電素子１０８と振動板１０４とからなるバイモルフ積層体１２５を形成する（図１４のステップＣ２０）。
【００８９】
具体的には、ＭｇＯ基板１２２の格子方向に単層である圧電素子１０８を、スパッタリングによってＭｇＯ基板１２２の一面に亘って成長させる手法により薄膜状に形成した後、圧電素子１０８上に、その一面に亘ってクロム膜を、スパッタリング又はメッキ等によって成長させる手法によりバイモルフ積層体１２５を形成する。
【００９０】
このとき、ＭｇＯ基板１２２の全面に形成した圧電素子１０８上にレジストを塗布した後、各圧力室１１２に対応する圧電素子１０８の加工パターンをパターニングし、更に、不要な圧電素子１０８をエッチングにより除去する。
【００９１】
そして、ＭｇＯ基板１２２における圧電素子１０８が形成された面全体にわたって感光性液状ポリイミドを塗布した後ＭｇＯ基板１２２における圧電素子１０８が形成されている面とは反対側の面から全面に露光することによりＭｇＯ基板１２２直上のポリイミドのみを感光する。
【００９２】
その後、感光性液状ポリイミドを現像して、圧電素子１０８上の未露光のポリイミドを除去することにより、振動板１０４上における圧電素子１０８および個別電極１０９が不在の領域にのみポリイミド１２６を配置する。
【００９３】
なお、ＭｇＯ基板１２２上に圧電素子１０８および振動板１０４を形成することにより、バイモルフ積層体１２５を安定して形成することができるほか、後述するドライフィルムレジスト１０３ａ〜１０３ｃを安定して形成することができる。
【００９４】
また、圧電素子１０８として積層構造を有する圧電素子を使用する場合には、例えば、複数枚のグリーンシートの各々をセラミックの粉末等の溶剤に混練してペースト状にした後、ドクターブレードにより５０μｍ程度に薄膜構成することにより形成する。ここで、圧電素子１０８の材質として、一般に圧電素子の材料であるＢａ，ＴｉＯ３，ＰｂＴｉＯ３，（ＮａＫ）ＮｂＯ３等の強誘電体を用いてもよい。
【００９５】
この場合、複数枚（例えば１２枚）のグリーンシートのうち３枚のグリーンシートの一面に、それぞれ第１の内部電極パターンを印刷・形成する一方で、これらのグリーンシートとは別の３枚のグリーンシートの一面に、それぞれ第２の内部電極パターンを印刷・形成する。なお、第１および第２の内部電極の印刷は、銀とパラジウムの合金を粉状にしたものに溶剤を混ぜてペースト状にしたものを塗布して、パターン形成することにより行なわれる。
【００９６】
そして、第１の内部電極を形成した３枚のグリーンシートと、第２の内部電極を形成した３枚のグリーンシートとを交互に張り合わせた後、６枚の内部電極を形成しないグリーンシートを張り合わせることにより、圧電素子の積層構造を形成し、これらのグリーンシートを積層した状態で焼成するのである。この場合において、内部電極を有しないグリーンシートが基板部として機能する。
【００９７】
次に、図１１（Ｃ）（２）に示すように、振動板１０４上に１層目のドライフィルムレジスト１０３（図５に示すドライフィルムレジスト１０３ａに相当）をラミネートした後、圧力室１１２に相当する部分をマスク処理により露光する（図１４のステップＣ３０）。
【００９８】
そして、図１１（Ｃ）（３）に示すように、２層目のドライフィルムレジスト１０３（図５に示すドライフィルムレジスト１０３ｂに相当）を１層目のドライフィルムレジスト１０３ａ上にラミネートした後、圧力室１１２およびインク共通路１１０に相当する部分をマスク処理により露光する（図１４のステップＣ４０）。
【００９９】
さらに、図１１（Ｃ）（４）に示すように、３層目のドライフィルムレジスト１０３（図５に示すドライフィルムレジスト１０３ｃに相当）を２層目のドライフィルムレジスト１０３ｂ上にラミネートした後、圧力室１１２，インク供給路１１４およびインク共通路１１０に相当する部分をマスク処理により露光する（図１４のステップＣ５０）。
【０１００】
次に、図１１（Ｃ）（５）に示すように、ドライフィルムレジストの現像を行ない（図１４のステップＣ６０）、ＭｇＯ基板１２２上に、図５における圧電素子１０８〜ドライフィルムレジスト１０３ｃをラミネートして形成された積層体を形成した後、図１１（Ｃ）（６）に示すように、予め圧力室１１２およびインク共通路１１０に相当する部分をエッチングにより除去したステンレス板１０５ａをドライフィルムレジスト１０３ｃ上に接合する（図１４のステップＣ７０）。
【０１０１】
なお、本第１実施形態においては、図１１に示すように、（Ａ）層〜（Ｃ）層における接合面は、（Ａ）層と（Ｂ）層との間および（Ｂ）層と（Ｃ）層との間の２カ所であるので、２層のステンレス板１０５ａ，１０５ｂをそなえている。
【０１０２】
そして、（Ａ）層〜（Ｃ）層を接合してキュアする（図１２のステップＡ４０）。
【０１０３】
なお、ステンレス板１０５ａをそなえているので、（Ｃ）層を（Ｂ）層に接合する際に、ドライフィルムレジスト１０３ｃ等がドライフィルムレジスト１０３ｄに流れ込むことを防止するようになっている。
【０１０４】
その後、加圧加熱することによりドライフィルムレジスト１０３ａ〜１０３ｅを硬化して、ＭｇＯ基板１２２からノズル板１０６までを一体化する。
【０１０５】
そして、ＭｇＯ面にレジストを塗布して接合部８の形状に合わせた所定の形状でパターニング露光を行なった後このレジストを現像し、更に、ＭｇＯ基板１２２のうち不要な部分をエッチング除去することにより、接合部８をヘッド本体部３上のＭｇＯ基板（基板）１２２の残存部として形成する。
【０１０６】
このようにして形成したヘッド本体部３における接点部１２１，１２７を、ＦＰＣ２とＡｕバンプにより結線することにより電気的に接続した後、樹脂モールド等により形成されたインクタンク（インク供給部品）５０もしくはインクタンク固定用部材を接合部８に接着剤等を用いて接着・硬化させてインクジェットヘッド１００を完成させる。
【０１０７】
なお、ＭｇＯ基板１２２を除去して接合部８を形成する工程については、（Ａ）層〜（Ｃ）層を接合してキュアした後に限定されるものではなく、例えば、（Ｃ）層を形成した後に行なってもよく、本発明の趣旨を逸脱しない範囲で種々変形して実施することができる。
【０１０８】
本第１実施形態としてのインクジェットヘッド１００における各部の寸法としては、例えば、以下のようなものが挙げられる。ここで、Ｌは長さを、又、Ｗは幅を、ｔは厚さ（深さ）をそれぞれ示すものとする。
・個別電極：Ｌ×Ｗ×ｔ＝１７００（μｍ）×７０（μｍ）×０．２（μｍ）
・配線パターン：Ｗ×ｔ＝５（μｍ）×０．２（μｍ）
（ただし、長さは各素子毎で異なる）
・圧電素子（ピエゾ）：Ｌ×Ｗ×ｔ＝１７００（μｍ）×７０（μｍ）×３（μｍ）
・振動板：ｔ＝２（μｍ）
・圧力室：Ｌ×Ｗ×ｔ＝１７００（μｍ）×１００（μｍ）×１３０（μｍ）
・インク供給路：Ｌ×Ｗ×ｔ＝１２５（μｍ）×１５（μｍ）×３０（μｍ）
・導通路：φ８０（μｍ）×６０（μｍ）
・ノズル：φ２０（μｍ）×２０（μｍ）
・連通路：Ｌ×Ｗ×ｔ＝１３（ｍｍ）×１（ｍｍ）×０．１９（ｍｍ）
・ＭｇＯ基板：Ｗ×ｔ＝２０（ｍｍ）×０．３（ｍｍ）
・ＭｇＯエッチングテーパ角：４５（ｄｅｇ）
（ただし、この値はエッチング条件によって異なるものであり、本第１実施形態においてはリン酸５０％溶液にて８０℃×（ｈ）を適用し、同値を得た。）
・ノズルピッチ：１／１５０（ｉｎｃｈ）
・ノズル数：６４（個）
本発明の第１実施形態としてのインクジェットヘッド１００は上述のごとく構成されているので、印刷を行なう場合には、インクタンク５０に保持されているインクを、インク供給口５１および連通路８１を介してインク共通路１１０に供給し、更に、このインク共通路１１０からインク供給路１１４を介して各圧力室１１２にインクを供給する。
【０１０９】
そして、ＦＰＣ２を介して図示しない駆動回路等により作成した駆動信号を接点部１２１，１２７に送信し、インク加圧部１４０によって圧力室１１２を加圧することによりノズル１２０から噴出し、これにより印刷用紙２００への印刷を行なう。
【０１１０】
このように、本発明の第１実施形態のインクジェットヘッド１００によれば、接合部８によりヘッド本体部３の剛性を上げることができるので、インクジェットヘッド１００の製造に際しても、ヘッド本体部３が破損し難く、その生産性を向上することができる。
【０１１１】
また、ヘッド本体部３にインクタンク５０もしくはインクタンク固定用部材に容易に接合することができる。
【０１１２】
さらに、個別電極１０９と接点部１２１とを薄膜形成した配線パターン１２３により電気的に接続しているので、これらをワイヤボンディング等による空中配線等を行なう必要がなく、これにより、ノズルの実装密度を上げることができ、インクジェットヘッドを小型化することができるとともに、ワイヤボンディング時にヘッド本体部３を損傷させるおそれもなく、更に、配線間に短絡が生じるおそれもない。
【０１１３】
またさらに、接合部８を、ヘッド本体部３における個別電極１０９，接点部１２１，１２７、および配線パターン１２３が形成された面上において、個別電極１０９を環囲するような枠状に形成するとともに、接点部１２１，１２７を接合部８よりも外側に配置することにより、ＦＰＣ２と個別電極１０９とを容易に且つ確実に電気的に接続することができる。
【０１１４】
また、ヘッド本体部３にインクタンク５０もしくはインクタンク固定用部材を接合する場合に、その接着しろを小さくすることができるので、ヘッド本体部３を小さくすることができインクジェットヘッド、ひいては印刷装置（インクジェットプリンタ）を小型化することができる。
【０１１５】
さらに、各個別電極１０９と接点部１２１との間の電気的接続に際して、配線パターン１２３を接合部８とヘッド本体部３との間を通過するように配設しているので、接合部８の影響を受けることなく、加圧部１４０を制御するための信号を供給するＦＰＣに各個別電極１０９を電気的に接続することができる。
【０１１６】
また、ヘッド本体部３をＭｇＯ基板１２２上に形成するとともに、このＭｇＯ基板１２２をヘッド本体部３から部分的に除去することによりインク共通路１１０を形成し、更に、接合部８をヘッド本体部３上のＭｇＯ基板１２２の残存部として形成しているので、接合部８を容易に且つ安価に作成することができる。
【０１１７】
（Ｂ）第１実施形態の第１変形例の説明
図１５および図１６は第１実施形態におけるインクジェットヘッドの第１変形例を説明するための図であり、図１５は本発明の第１実施形態の第１変形例としてのインクジェットヘッドのヘッド本体部の構成を示す斜視図、図１６は図１５に示すヘッド本体部の水平断面を示す斜視図である。
【０１１８】
なお、図中、既述の符号と同一の符号は同一もしくはほぼ同一の部分を示しているので、その詳細な説明は省略する。
【０１１９】
図１５に示すように、本第１変形例のインクジェットヘッド１００ａも、上述した第１実施形態のインクジェットヘッド１００と同様に、インクタンク（インク供給部；図示省略）から供給されたインクを吐出する複数のノズル（図示省略）を有するものであって、ヘッド本体部３ａおよび接合部８ａをそなえて構成されている。
【０１２０】
このインクジェットヘッド１００ａは、第１実施形態のインクジェットヘッド１００における円形に開口した連通路８１に代えて、ヘッド本体部３ａのほぼ全幅（図１５中においては紙面左右方向）にわたって形成された矩形形状に開口した連通路８１ａをそなえている。そして、ヘッド本体部３ａは、この連通路８１ａを介してインクタンクに接続されるようになっている。
【０１２１】
また、ヘッド本体部３ａは、その内部にインク共通路１１０ａをそなえるとともに、複数のノズルのそれぞれに、圧力室１１２，加圧部１４０，インク供給路１１４をそなえて構成されている。
【０１２２】
インク共通路１１０ａは、図１６に示すように、ヘッド本体部３ａのほぼ全幅にわたって形成された第１インク共通路１１０ａ−１とこの第１インク共通路１１０ａ−１と直交する互いに平行な２つの第２インク共通路１１０ａ−２をそなえて構成されている。
【０１２３】
そして、これらの第２インク共通路１１０ａ−２には、各第２インク共通路１１０ａ−２を挟んで対向する位置にそれぞれ枝葉状に複数の圧力室１１２が配設されており、各圧力室１１２とインク共通路１１０ａ（第２インク共通路１１０ａ−２）とはインク供給路１１４を介して連通接続されている。
【０１２４】
なお、インク共通路１１０ａにおいても、上述のインク共通路１１０と同様に、圧力室１１２の急激な内部圧力変動を吸収するようにインクの流体抵抗が調節されており、又、圧力室１１２が収縮加圧されてインクを吐出した後、復帰する際にインク供給路１１４を介して圧力室１１２に必要量のインクを供給する。なお、かかるインクの供給についてもインクの流体抵抗の調節に基づいて行なわれるようになっている。
【０１２５】
また、ヘッド本体部３ａにおいても、各圧力室１１２は一方方向に整列するように配設されており、又、圧力室１１２は、インクを供給されてこれを収納すると共に、内部圧力が高まるとインクを導通路１１６を介してノズルから吐出するようになっている。
【０１２６】
接合部８ａは、図１５に示すように、ヘッド本体部３ａにおけるノズルが形成されている側とは反対側（ヘッド本体部３ａにおける個別電極１０９が形成されている側）の面に突出して形成されており、又、ヘッド本体部３ａにおける個別電極１０９を形成された面上においてこれらの個別電極１０９を環囲するように形成されている。
【０１２７】
すなわち、接合部８ａは、個別電極１０９，接点部１２１および配線パターン（図示省略）を形成された面上において、個別電極１０９を環囲するように形成されているのである。
【０１２８】
また、接合部８ａの一部は、連通路８１ａを環囲するように形成されている。
【０１２９】
そして、この接合部８ａに接着剤等を用いてインクタンク（インク供給部品）もしくはインクタンク固定用部材を接合することにより、ヘッド本体部３ａにインクタンクを接合するのであるが、接合部８ａにインクタンクを接合した時においても、連通路８１ａに供給されるインクタンクからのインクが個別電極１０９側に流出することが無いようになっている。
【０１３０】
なお、接合部８ａも第１実施形態のインクジェットヘッド１００における接合部８と同様に、上方に行くほどの幅が狭くなるような断面形状を有しており、これにより接着面からはみ出した接着剤がその斜面により保持され、はみ出した接着剤がヘッド本体部３ａに到達することを防ぐことができるようになっている。
【０１３１】
また、この接合部８ａは、上述した接合部８と同様に、酸化マグネシウム（ＭｇＯ）により生成された基板をフォトエッチング処理によりヘッド本体部３ａがら部分的に除去することにより、ヘッド本体部３ａ上の基板の残存部として形成されている。
【０１３２】
また、ヘッド本体部３ａにおける個別電極１０９が形成された面上において、ヘッド本体部３の外縁部付近、具体的には接合部８ａよりも外側には、第１実施形態のインクジェットヘッド１００におけるヘッド本体部３と同様に、複数の接点部１２１が形成されている。
【０１３３】
本発明の第１実施形態の第１変形例としてのインクジェットヘッド１００ａは上述のごとく構成されているので、接合部８ａにインクタンクもしくはインクタンク固定用部材を接着剤等を用いて接合する場合において、接合部８ａとインクタンクとの間から接着剤がはみ出た場合でも、その接着剤が個別電極１０９等の加圧部１４０まで到達することがないので、その加圧動作を妨げることがなく、インクジェットヘッドによる印刷品質を向上させることができる。
【０１３４】
次に、インクタンクのインク供給口から連通路８１ａを介してヘッド本体部３ａにインクを供給すると、このインクが第１インク共通路１１０ａ−１および第２インク共通路１１０ａ−２を通過し、更に、各インク供給路１１４を介して各圧力室１１２に供給される。
【０１３５】
そして、図示しない駆動回路等によってＦＰＣ（図示省略）を介して各個別電極１０９に駆動信号を供給することにより、加圧部１４０によって圧力室１１２を加圧して各ノズルからインクを吐出するのである。
【０１３６】
このように、本発明の第１実施形態としてのインクジェットヘッドの第１変形例によれば、上述した第１実施形態と同様の作用効果を得ることができる他、インクタンクからのインクを、ヘッド本体部３ａのほぼ全幅にわたって形成された矩形断面の連通路８１ａおよびインク共通路１１０ａ−１を介してヘッド本体部３ａへ供給するので、インク共通路１１０における末端部、すなわち、インク共通路１１０ａ−２におけるインク共通路１１０ａ−１に接続されている側とは反対側付近に配設されている圧力室１１２に対してもインクを安定して供給することができる。
【０１３７】
すなわち、各圧力室１１２内のインク圧力を均等にすることができるので、これにより、各ノズルから吐出されるインクの吐出量等を均一にすることができるので印刷品質を向上させることができる。
【０１３８】
（Ｃ）第１実施形態の第２変形例の説明
図１７および図１８は第１実施形態におけるインクジェットヘッドの第２変形例を説明するための図であり、図１７は本発明の第１実施形態の第２変形例としてのインクジェットヘッドのヘッド本体部の構成を示す斜視図、図１８は図１７に示すヘッド本体部の水平断面を示す斜視図である。
【０１３９】
なお、図中、既述の符号と同一の符号は同一もしくはほぼ同一の部分を示しているので、その詳細な説明は省略する。
【０１４０】
図１７に示すように、本第２変形例のインクジェットヘッド１００ｂも、上述した第１実施形態のインクジェットヘッド１００と同様に、インクタンク（インク供給部；図示省略）から供給されたインクを吐出する複数のノズル（図示省略）を有するものであって、ヘッド本体部３ｂおよび接合部８ｂをそなえて構成されている。
【０１４１】
このインクジェットヘッド１００ｂは、第１実施形態のインクジェットヘッド１００における円形に開口した連通路８１に代えて、ヘッド本体部３ｂの縦方向（図１７中においては接点部１２１が形成されている側面と平行な方向）のほぼ全長にわたって、矩形形状に開口した２つの連通路８１ｂが互いに平行に形成されている。そして、ヘッド本体部３ｂは、これらの連通路８１ｂを介してインクタンクに接続されるようになっている。
【０１４２】
また、ヘッド本体部３ｂは、複数のノズルのそれぞれに、圧力室１１２，加圧部１４０，インク供給路１１４をそなえて構成されている。
【０１４３】
ヘッド本体部３ｂ内には、図１８に示すように、ヘッド本体部３ｂの縦方向（図１７中においては接点部１２１が形成されている側面と平行な方向）のほぼ全長にわたって、互いに平行に形成された２つのインク共通路１１０ｂが形成されている。
【０１４４】
そして、これらの２つのインク共通路１１０ｂには、各インク共通路１１０ｂを挟んで対向する位置にそれぞれ枝葉状に複数の圧力室１１２が配設されており、各圧力室１１２と各インク共通路１１０ｂとはインク供給路１１４を介して連通接続されている。
【０１４５】
なお、インク共通路１１０ｂにおいても、上述の第１実施形態のインクジェットヘッド１００におけるインク共通路１１０と同様に、圧力室１１２の急激な内部圧力変動を吸収するようにインクの流体抵抗が調節されており、又、圧力室１１２が収縮加圧されてインクを吐出した後、復帰する際にインク供給路１１４を介して圧力室１１２に必要量のインクを供給する。なお、かかるインクの供給についてもインクの流体抵抗の調節に基づいて行なわれるようになっている。
【０１４６】
また、各圧力室１１２は、インクを供給されてこれを収納すると共に、内部圧力が高まるとインクを導通路１１６を介してノズル１２０から吐出するようになっており、又、本インクジェットヘッド１００ｂのヘッド本体部３ｂにおいても、各圧力室１１２は一方方向に整列するように配設されており、図１７に示すように、各圧力室１１２はインク共通路１１０ｂ（連通路８１ｂ）に直交するように互いに平行に配設されている。
【０１４７】
接合部８ｂは、図１７に示すように、ヘッド本体部３ｂにおけるノズルが形成されている側とは反対側（ヘッド本体部３ｂにおける個別電極１０９が形成されている側）の面に突出して形成されており、又、ヘッド本体部３ａにおける個別電極１０９を形成された面上においてこれらの個別電極１０９を環囲するように形成されている。
【０１４８】
すなわち、接合部８ｂは、個別電極１０９，接点部１２１および配線パターン（図示省略）を形成された面上において、個別電極１０９を環囲するように形成されているのである。
【０１４９】
また、接合部８ｂの一部は、連通路８１ｂを環囲するように形成されている。
【０１５０】
そして、この接合部８ｂに接着剤等を用いてインクタンク（インク供給部品）もしくはインクタンク固定用部材を接合することにより、ヘッド本体部３ｂにインクタンクを接合するのであるが、接合部８ｂにインクタンクを接合した時においても、各連通路８１ｂに供給されるインクタンクからのインクが個別電極１０９側に流出することが無いようになっている。
【０１５１】
なお、接合部８ｂも第１実施形態のインクジェットヘッド１００における接合部８と同様に、上方に行くほどの幅が狭くなるような断面形状を有しており、これにより接着面からはみ出した接着剤がその斜面により保持され、はみ出した接着剤がヘッド本体部３ｂに到達することを防ぐことができるようになっている。
【０１５２】
また、この接合部８ｂは、上述した接合部８と同様に、酸化マグネシウム（ＭｇＯ）により生成された基板をフォトエッチング処理によりヘッド本体部３ｂから部分的に除去することにより、ヘッド本体部３ｂ上の基板の残存部として形成されている。
【０１５３】
また、ヘッド本体部３ａにおける個別電極１０９が形成された面上において、ヘッド本体部３の外縁部付近、具体的には接合部８ｂよりも外側には、第１実施形態のインクジェットヘッド１００におけるヘッド本体部３と同様に、複数の接点部１２１が形成されている。
【０１５４】
本発明の第１実施形態の第２変形例としてのインクジェットヘッドは上述のごとく構成されているので、先ず、接合部８ｂにインクタンクもしくはインクタンク固定用部材を接着剤等を用いて接合した後、インクタンクのインク供給口から連通路８１ｂを介してヘッド本体部３ｂにインクを供給すると、このインクがインク共通路１１０ｂを通過し、更に、各インク供給路１１４を介して各圧力室１１２に供給される。
【０１５５】
そして、図示しない駆動回路等によってＦＰＣ（図示せず）を介して各個別電極１０９に駆動信号を供給することにより、加圧部１４０によって圧力室１１２を加圧して各ノズルからインクを吐出するのである。
【０１５６】
このように、本発明の第１実施形態のインクジェットヘッドの第２変形例によっても上述した第１実施形態と同様の作用効果を得ることができる他、インクタンクから各圧力室１１２までのインクの供給距離が、各圧力室１１２間で等しいので、各圧力室１１２へのインク供給を安定させることができる。これにより、各ノズルから吐出されるインクの吐出量等を均一にすることができるので印刷品質を向上させることができる。
【０１５７】
（Ｄ）第１実施形態の第３変形例の説明
図１９（ａ），（ｂ）は第１実施形態におけるインクジェットヘッドの第３変形例を説明するための図であり、図１９（ａ）は本発明の第１実施形態の第３変形例としてのインクジェットヘッドにおけるインクタンクの形状を説明すべくそのインクタンクを示す斜視図、図１９（ｂ）は本発明の第１実施形態の第３変形例としてのインクジェットヘッドのヘッド本体部の構成を示す斜視図である。
【０１５８】
なお、図中、既述の符号と同一の符号は同一もしくはほぼ同一の部分を示しているので、その詳細な説明は省略する。
【０１５９】
図１９（ｂ）に示すように、本第３変形例のインクジェットヘッド１００ｃは、複数色（本変形例ではイエロー，マゼンタ，シアンの３色）のインクを用いてカラー印刷を行なうためのものであって、各色のインクを吐出するためのノズル（図示せず）をそれぞれ有するものであり、ヘッド本体部３ｃおよび接合部８ｃをそなえて構成されている。
【０１６０】
ヘッド本体部３ｃは、複数のノズルのそれぞれに、圧力室１１２，加圧部１４０，インク供給路１１４をそなえて構成されている。
【０１６１】
そして、このインクジェットヘッド１００ｃは、接合部８ｃにより、イエロー，マゼンタ，シアンの３色のインクを保持するインクタンク（インク供給部品）５０ａに接合されるようになっている。
【０１６２】
インクタンク５０ａは、図１９（ａ）に示すように、使用するインクの数に応じた数（本第３変形例では３つ）のインク室５２−１〜５２−３をそなえて形成されている。これらの各インク室５２−１〜５２−３の間は隔壁により仕切られており、各インク室５２−１〜５２−３には、それぞれ異なる種類（色）のインクが充填されている。本第３変形例においては、例えば、インク室５２−１にイエロー、インク室５２−２にシアン、インク室５２−３にはマゼンタのインクがそれぞれ充填されている。
【０１６３】
また、各インク室５２−１〜５２−３はインクを供給するためのインク供給口５１ａをそれぞれそなえており、これらのインク供給口５１ａは互いに平行に配設されている。すなわち、インクタンク５１ａは、互いに平行に配設された３つのインク供給口５１ａをそなえているのである。
【０１６４】
インクジェットヘッド１００ｃのヘッド本体部３ｃには、図１９（ｂ）に示すように、ヘッド本体部３ｃの縦方向（図１９（ｂ）中においては接点部１２１が形成されている側面と平行な方向）のほぼ全長にわたって、互いに平行に形成された第２変形例のインクジェットヘッド１００ｂと同様の連通路８１ｂが３つ形成されており、更に、ヘッド本体部３ｃ内には、各連通路８１ｂとほぼ同一の断面形状を有するインク共通路１１０ｃが３つ形成されている。
【０１６５】
さらに、これらの３つのインク共通路１１０ｃには、各インク共通路１１０ｃを挟んで対向する位置にそれぞれ枝葉状に複数の圧力室１１２が配設されており、各圧力室１１２と各インク共通路１１０ｃとはインク供給路１１４を介して連通接続されている。
【０１６６】
すなわち、ヘッド本体部３ｃは、これらの連通路８１ｂを介して、図１９（ｂ）に示すようなインクタンク５０ａに接続されるようになっている。
【０１６７】
なお、インク共通路１１０ｃにおいても、上述の第１実施形態のインクジェットヘッド１００におけるインク共通路１１０と同様に、圧力室１１２の急激な内部圧力変動を吸収するようにインクの流体抵抗が調節されており、又、圧力室１１２が収縮加圧されてインクを吐出した後、復帰する際にインク供給路１１４を介して圧力室１１２に必要量のインクを供給する。なお、かかるインクの供給についてもインクの流体抵抗の調節に基づいて行なわれるようになっている。
【０１６８】
また、各圧力室１１２は、インクを供給されてこれを収納すると共に、内部圧力が高まるとインクを導通路１１６を介してノズル１２０から吐出するようになっており、又、本インクジェットヘッド１００ｃのヘッド本体部３ｃにおいても、各圧力室１１２は一方方向に整列するように配設されており、図１９（ｂ）に示すように、各圧力室１１２はインク共通路１１０ｃに直交するするように互いに平行に配設されている。
【０１６９】
接合部８ｃは、図１９（ｂ）に示すように、ヘッド本体部３ｃにおけるノズルが形成されている側とは反対側（ヘッド本体部３ｃにおける個別電極１０９が形成されている側）の面に突出して形成されており、又、ヘッド本体部３ｃにおける個別電極１０９を形成された面上においてこれらの個別電極１０９を環囲するように形成されている。
【０１７０】
すなわち、接合部８ｃは、個別電極１０９，接点部１２１および配線パターン１２３を形成された面上において、個別電極１０９を環囲するように形成されているのである。
【０１７１】
また、接合部８ｃの一部は、連通路８１ｃを環囲するように形成されている。
【０１７２】
そして、この接合部８ｃに接着剤等を用いてインクタンク（インク供給部品）５０ａもしくはインクタンク固定用部材を接合することにより、ヘッド本体部３ｃにインクタンク５０ａを接合するのであるが、接合部８ｃにインクタンク５０ａを接合した時においても、各連通路８１ｂに供給されるインクタンク５０ａからのインクが個別電極１０９側に流出することが無いようになっている。
【０１７３】
なお、接合部８ｃも第１実施形態のインクジェットヘッド１００における接合部８と同様に上方に行くほどその幅が狭くなるような形状を有しており、これにより接着面からはみ出した接着剤がその斜面により保持され、はみ出した接着剤がヘッド本体部３ｃに到達することを防ぐことができるようになっている。
【０１７４】
また、この接合部８ｃは、前述した接合部８等と同様に、酸化マグネシウム（ＭｇＯ）により生成された基板をフォトエッチング処理によりヘッド本体部３ｃから部分的に除去することにより、ヘッド本体部３ｃ上の基板の残存部として形成されている。
【０１７５】
また、ヘッド本体部３ｃにおける個別電極１０９が形成された面上において、ヘッド本体部３の外縁部付近、具体的には接合部８ｃよりも外側には、第１実施形態のインクジェットヘッド１００におけるヘッド本体部３と同様に、複数の接点部１２１が形成されている。
【０１７６】
本発明の第１実施形態の第３変形例としてのインクジェットヘッドは上述のごとく構成されているので、先ず、接合部８ｃにインクタンク５０ａを接着剤等を用いて接合した後、インクタンク５０ａの各インク供給口５１ａから各連通路８１ｂを介して各色のインクをそれぞれヘッド本体部３ｃに供給すると、これらのインクがインク共通路１１０ｃを通過し、更に、各インク供給路１１４を介して各圧力室１１２に供給される。
【０１７７】
そして、図示しない駆動回路等によってＦＰＣ（図示省略）を介して各個別電極１０９に駆動信号を供給することにより、加圧部１４０によって圧力室１１２を加圧して各ノズルからインクを吐出するのである。
【０１７８】
このように、本発明の第１実施形態のインクジェットヘッドの第３変形例によっても上述した第２変形例と同様の作用効果を得ることができる他、複数色のインクを用いて印刷を行なう場合においても、各ノズルから吐出されるインクの吐出量等を均一にすることができるので印刷品質を向上させることができる。
【０１７９】
また、接合部８ｃにより隣合う連通路８１ｃを仕切るようになっているので、これにより、多色印刷可能なマルチノズルインクジェットヘッド（インクジェットヘッド１００ｃ）において各ノズル１２０の位置精度を高く形成することができるとともに、これらのノズル１２０を高密度に形成でき、インクジェットヘッドひいては印刷装置（インクジェットプリンタ）を小型化することができる。
【０１８０】
（Ｅ）第１実施形態の第４変形例の説明
図２０〜図２２は本発明の第１実施形態の第４変形例としてのインクジェットヘッドにおける配線パターンの構成を説明するための図であり、図２０は本発明の第１実施形態の第４変形例としてのインクジェットヘッドにおける配線パターンの要部を拡大して示す平面図、図２１は図２０のＡ−Ａ線に沿う断面図、図２２は図２０のＢ−Ｂ線に沿う断面図である。
【０１８１】
なお、図中、既述の符号と同一の符号は同一もしくはほぼ同一の部分を示しているので、その詳細な説明は省略する。
【０１８２】
本発明の第１実施形態の第４変形例としてのインクジェットヘッド１００ｄは、第１実施形態のインクジェットヘッド１００における配線パターン１２３に代えて、配線パターン１２３ａをそなえるものであり、以下、図２０〜図２２を用いてその詳細な説明を行なう。
【０１８３】
図２０〜図２２に示すように、本第４変形例のインクジェットヘッド１００ｄも、上述した第１実施形態のインクジェットヘッド１００と同様に、図示しないインクタンク（インク供給部）から供給されたインクを吐出する複数のノズル１２０を有するものであって、ヘッド本体部３１および接合部８をそなえて構成されている。
【０１８４】
また、本第４変形例のインクジェットヘッド１００ｄも、上述したインクジェットヘッド１００と同様に、ドライフィルムレジスト１０３ａ〜１０３ｅやステンレス板１０５ａ，１０５ｂ等の複数の層を積層して構成されるものであるが、図２１および図２２中においては、便宜上、その積層構造の図示を省略している。
【０１８５】
ヘッド本体部３１上には、図２０〜図２２に示すように、配線パターン１２３ａが個別電極１０９および接点部１２１とともにパターニングにより形成されており、これにより配線パターン１２３ａは個別電極１０９および接点部１２１と同一面上に同一材料により一体的に薄膜形成されている。
【０１８６】
これらの配線パターン１２３ａは、図２０に示すように、それぞれ各個別電極１０９の長手方向（図２０中では左右方向）とほぼ平行に、それらの間を通るように配設されており、更に、各配線パターン１２３ａは、図２２に示すように、接合部８の下側、すなわち、ヘッド本体部３１と接合部８との間を通過するように配設されている。
【０１８７】
また、ヘッド本体部３１においては、図１１に示すインクジェットヘッド１００と同様に、ヘッド本体部３における個別電極１０９等が形成されている側の面において、接合部８よりも外側、すなわち、ヘッド本体部３１の隅部付近に振動板１０４が露出しており、これにより接点部１２７を形成している。
【０１８８】
そして、これらの接点部１２１，１２７にＦＰＣ（外部接続配線部材；図２０〜図２２では図示省略）をＴＡＢ等の方式によって電気的に接続するのである。
【０１８９】
また、本第４変形例のインクジェットヘッド１００ｄも、第１実施形態のインクジェットヘッド１００と同様に、ドライフィルムレジストを用いたパターニング手法により形成されるようになっており、又、配線パターン１２３ａもヘッド本体部３１上に個別電極１０９および接点部１２１とともにパターニングにより形成され、個別電極１０９および接点部１２１と同一面上に同一材料により一体的に薄膜形成されている。
【０１９０】
上述の構成により、接点部１２１，１２７にＦＰＣをＴＡＢ等の方式によって電気的に接続した後、図示しない駆動回路等によってＦＰＣを介して各個別電極１０９に駆動信号を供給することにより、加圧部１４０によって圧力室１１２を加圧して各ノズル１２０からインクを吐出する。
【０１９１】
このように、本発明の第１実施形態の第４変形例としてのインクジェットヘッドによっても、各個別電極１０９と接点部１２１との間の電気的接続に際して接合部８の影響を受けることなく、加圧部１４０を制御するための信号を供給するＦＰＣに各個別電極１０９を電気的に接続することができ、上述した第１実施形態と同様の作用効果を得ることができる。
【０１９２】
（Ｆ）第１実施形態の第５変形例の説明
図２３〜図２５は本発明の第１実施形態の第５変形例としてのインクジェットヘッド１００ｅにおける配線パターンの構成を説明するための図であり、図２３は本発明の第１実施形態の第５変形例としてのインクジェットヘッドにおける配線パターンの要部を拡大して示す平面図、図２４は図２３のＡ−Ａ線に沿う断面図、図２５は図２３のＢ−Ｂ線に沿う断面図である。
【０１９３】
なお、図中、既述の符号と同一の符号は同一もしくはほぼ同一の部分を示しているので、その詳細な説明は省略する。
【０１９４】
本発明の第１実施形態の第５変形例としてのインクジェットヘッド１００ｅは、図１７および図１８に示すインクジェットヘッド１００ｂや図１９に示すインクジェットヘッド１００ｃにおける配線パターン１２３に代えて配線パターン１２３ｂをそなえるものであり、その構成について図２３〜図２５を用いて説明する。
【０１９５】
図２３〜図２５に示すように、本第５変形例のインクジェットヘッド１００ｅも、上述したインクジェットヘッド１００ｂ，１００ｃと同様に、インクタンク（インク供給部；図２３〜図２５では図示省略）から供給されたインクを吐出する複数のノズル１２０を有するものであって、ヘッド本体部３２および接合部８ｂ（８ｃ）をそなえて構成されている。
【０１９６】
また、本第５変形例のインクジェットヘッド１００ｅも、上述したインクジェットヘッド１００と同様に、ドライフィルムレジスト１０３ａ〜１０３ｅやステンレス板１０５ａ，１０５ｂ等の複数の層を積層して構成されるものであるが、図２４および図２５中においては、便宜上、その積層構造の図示を省略している。
【０１９７】
さらに、本第５変形例のインクジェットヘッド１００ｅも、前述したインクジエットヘッド１００ｂ，１００ｃと同様に、ドライフィルムレジストを用いたパターニング手法により形成されるようになっており、又、配線パターン１２３ｂもヘッド本体部３２上に個別電極１０９および接点部１２１とともにパターニングにより形成され、個別電極１０９および接点部１２１と同一面上に同一材料により一体的に薄膜形成されている。
【０１９８】
これらの配線パターン１２３ｂは、図２３および図２４に示すように、接合部８ｂ（８ｃ）の下側、すなわちヘッド本体部３２と接合部８ｂ（８ｃ）との間を、接合部８ｂ（８ｃ）に沿って敷設され、接点部１２１に近接する位置において接合部８ｂ（８ｃ）から離れて接点部１２１と接続するようになっている。
【０１９９】
また、ヘッド本体部３２においては、図２３および図２４に示すように、ヘッド本体部３２における個別電極１０９等が形成されている面上において、接合部８ｂ（８ｃ）よりも外側、すなわち、ヘッド本体部３２の隅部付近に振動板１０４が露出しており、これにより接点部１２７を形成している。
【０２００】
そして、これらの接点部１２１，１２７にＦＰＣ（外部接続配線部材；図２３〜図２５では図示省略）をＴＡＢ等の方式によって電気的に接続するのである。
【０２０１】
上述の構成により、接点部１２１，１２７にＦＰＣをＴＡＢ等の方式によって電気的に接続した後、図示しない駆動回路等によってＦＰＣを介して各個別電極１０９に駆動信号を供給することにより、加圧部１４０によって圧力室１１２を加圧して各ノズル１２０からインクを吐出する。
【０２０２】
このように、本発明の第１実施形態の第５変形例としてのインクジェットヘッド１００ｅによっても、各個別電極１０９と接点部１２１との間の電気的接続に際して接合部８ｂ（８ｃ）の影響を受けることなく、加圧部１４０を制御するための信号を供給するＦＰＣに各個別電極１０９を電気的に接続することができ、上述した第１実施形態のインクジェットヘッドの第４変形例と同様の作用効果を得ることができるほか、配線パターン１２３ｂが接合部８ｂ（８ｃ）とヘッド本体部３２との間に配設されているので、配線パターン１２３ｂが外部に露出することなく、これにより配線パターン１２３ｂを保護することができ、例えば、配線パターン１２３ｂの断線等を防止することができる。
【０２０３】
（Ｇ）第２実施形態の説明
図３６〜図３１は本発明の第２実施形態としてのインクジェットヘッドの構成を説明するためのもので、図２６は本発明の第２実施形態としてのインクジェットヘッドのヘッド本体部の構成を示す斜視図、図２７は図２６のＡ矢視図、図２８は図２６のＢ部を拡大して示す平面図、図２９は図２８のＡ−Ａ線に沿う断面図、図３０は図２７のＣ部を拡大して示す平面図、図３１は図２８のＢ−Ｂ線に沿う断面図である。
【０２０４】
なお、図中、既述の符号と同一の符号は同一もしくはほぼ同一の部分を示しているので、その詳細な説明は省略する。
【０２０５】
本発明の第２実施形態としてのインクジェットヘッド３００は、図１５および図１６に示すインクジェットヘッド１００ａにおける接合部８ａに代えて接合部８ｅをそなえるとともに、この接合部８ｅ上に接点部１２１ａをそなえるものであり、その構成について図２６〜図３１を用いて説明する。
【０２０６】
図２６に示すように、本第２実施形態のインクジェットヘッド３００も、上述した第１実施形態の１００と同様に、インクタンク（インク供給部；図２６〜図３１では図示省略）から供給されたインクを吐出する複数のノズル１２０を有するものであって、図２６〜図３１に示すように、ヘッド本体部３ｆおよび接合部８ｅをそなえて構成されている。
【０２０７】
なお、本第２実施形態のインクジェットヘッド３００も、上述したインクジェットヘッド１００と同様に、ドライフィルムレジスト１０３ａ〜１０３ｅやステンレス板１０５ａ，１０５ｂ等の複数の層を積層して構成されるものであるが、図２９および図３１中においては、便宜上、その積層構造の図示を省略している。
【０２０８】
ヘッド本体部３ｆは、複数のノズル１２０のそれぞれに、圧力室１１２，加圧部１４０およびインク供給路１１４をそなえて構成されている。
【０２０９】
接合部８ｅは、図２６〜図３１に示すように、ヘッド本体部３ｆにおけるノズル１２０が形成されている側とは反対側（ヘッド本体部３ｆにおける個別電極１０９が形成されている側）の面に突出して形成されており、又、ヘッド本体部３ｆにおける個別電極１０９を形成された面上においてこれらの個別電極１０９を環囲するように形成されていて、更に、この接合部８ｅは、図２９、図３１に示すように、ヘッド本体部３ｆの周縁よりも外方へ突出するように形成されている。
【０２１０】
具体的には、本第２実施形態においては、接合部８ｅは、ヘッド本体部３ｆの周縁に沿って、ヘッド本体部３ｆの周縁と平行にそのほぼ半分の部分を外部に突出するように形成されている。
【０２１１】
この接合部８ｅは、前述した図１５に示すインクジェットヘッド１００ａの接合部８ａと同様に、酸化マグネシウム（ＭｇＯ）により生成された基板をフォトエッチング処理によりヘッド本体部３ｆから部分的に除去することにより、ヘッド本体部３ｆ上の基板の残存部として形成されている。そして、この接合部８ｅに接着剤等を用いてインクタンク（インク供給部品；図示省略）を接合することにより、ヘッド本体部３ｆにインクタンクを接合するのである。
【０２１２】
なお、本第２実施形態のインクジェットヘッド３００の接合部８ｅも、図２９に示すように、上方に行くほどの幅が狭くなるような断面形状を有しており、これによりインクタンクとの接着面からはみ出した接着剤がその斜面により保持され、はみ出した接着剤がヘッド本体部３ｆ（加圧部１４０）に到達することを防ぐことができるようになっている。
【０２１３】
また、この接合部８ｅにおけるヘッド本体部３ｆの周縁よりも外方へ突出した部分であって、インクタンクが接合される側とは反対側（図２７中の上側）の面（以下、この面を接点部形成面１２８と称する）には、接点部１２１ａ，１２７ａが形成されている。
【０２１４】
なお、本第２実施形態においては、この接点部形成面１２８における各隅部にそれぞれ接点部１２７ａが形成されており、これらの接点部１２７ａは、図３１に示すように、振動板１０４と一体に形成されている。
【０２１５】
また、接点部形成面１２８における各接点部１２７ａの間にはそれぞれ複数の接点部１２１ａが形成されている。なお、接点部１２１ａは個別電極１０９毎に形成されている。
【０２１６】
なお、これらの接点部１２１ａ，１２７ａの位置はこれに限定されるものではなく、本発明の趣旨を逸脱しない範囲で種々変形して実施することができる。
【０２１７】
さらに、これらの接点部１２１ａと個別電極１０９とは薄膜形成された配線パターン１２３により電気的に接続されている。
【０２１８】
すなわち、本第２実施形態においては、接点部１２１ａは、接合部８ｅ側においてヘッド本体部３ｆの周縁よりも外方に配置されており、又、接合部８ｅにおける接点部形成面１２８に、個別電極１０９毎に形成された接点部１２１ａが配設され、図２７に示すように、これらの接点部１２１ａに、加圧部１４０を制御するための信号を供給するＦＰＣ２がＴＡＢ方式等の手法により電気的に接続されるのである。
【０２１９】
上述の構成により、各接点部１２１ａおよび１２７ａに、図２７に示すようにＦＰＣをＴＡＢ等の方式によって電気的に接続した後、図示しない駆動回路等によってＦＰＣを介して各個別電極１０９に駆動信号を供給することにより、加圧部１４０によって圧力室１１２を加圧して各ノズル１２０からインクを吐出する。
【０２２０】
このように、本発明の第２実施形態のインクジェットヘッド３００によっても、各個別電極１０９と接点部１２１ａとの間の電気的接続に際して接合部８ｅの影響を受けることなく、加圧部１４０を制御するための信号を供給するＦＰＣに各個別電極１０９を電気的に接続することができ、上述した第１実施形態の第１変形例としてのインクジェットヘッド１００ａと同様の作用効果を得ることができるほか、ノズル１２０を形成するヘッド本体部３ｆを接合部８ｅよりも小さく形成することができるので、インクジェットヘッド３００を小型化することができる。
【０２２１】
また、ＦＰＣ２を接点部１２１ａ，１２７ａに接続する際に、接点部形成面１２８において、接点部１２１ａと接点部１２７ａとの高さが等しくなるので、ＦＰＣ２の接続に際してより確実に電気的に接続することができる。
【０２２２】
さらに、ＦＰＣ２を接点部１２１ａ，１２７ａに加圧して接続するに際して、ＦＰＣ２の上面から接点部形成面１２８を加圧するので、剛性の高い接合部８ｅが接点部形成面１２８を支持し、これにより製造安定性を向上させることができる。
【０２２３】
（Ｈ）第３実施形態の説明
図３２は本発明の第３実施形態としてのインクジェットヘッドのヘッド本体部の構成を示す斜視図であり、本発明の第３実施形態としてのインクジェットヘッド４００も、図３２に示すように、上述した第１変形例のインクジェットヘッド１００ａと同様に、インクタンク（インク供給部；図示省略）から供給されたインクを吐出する複数のノズル（図示省略）を有するものであって、ヘッド本体部３ｇおよび接合部８ｆをそなえて構成されている。
【０２２４】
なお、図中、既述の符号と同一の符号は同一もしくはほぼ同一の部分を示しているので、その詳細な説明は省略する。
【０２２５】
接合部８ｆは、ヘッド本体部３ｇ上におけるノズルが形成されている側とは反対側（図３２中では上側）の面に突出して形成されており、又、ヘッド本体部３ｇにおける個別電極１０９，接点部１２１および配線パターン１２３を形成された面上において、個別電極１０９を環囲するように形成されている。
【０２２６】
この接合部８ｆは、酸化マグネシウム（ＭｇＯ）により生成された基板をフォトエッチング処理によりヘッド本体部３ｇから部分的に除去することにより、ヘッド本体部３ｇ上の基板の残存部として形成されている。そして、この接合部８ｆに接着剤等を用いてインクタンク（インク供給部品）もしくはインクタンク固定用部材を接合することにより、ヘッド本体部３ｇにインクタンク５０を接合するのである。
【０２２７】
また、この接合部８ｆは、上方に行くほどの幅が狭くなるような断面形状を有しており、これによりインクタンク５０との接着面からはみ出した接着剤がその斜面により保持され、はみ出した接着剤がヘッド本体部３ｇに到達することを防ぐことができるようになっている。
【０２２８】
さらに、接合部８ｆにおいては、接合部８ｆを形成する部材のうち対向する１対の部材が互いに平行に同一方向に突設しており、これにより位置決め部８２が形成されている。なお、以下、この位置決め部８２を形成する、接合部８ｆから突設する１対の部材を突設部と称し、符号８２ａを用いて示すこととする。
【０２２９】
位置決め部８２は、突設部８２ａと、接合部８ｆにおける突設部８２ａが形成されている部分における外周面８２ｂとにより構成されている。
【０２３０】
また、ヘッド本体部３ｇにおける個別電極１０９や配線パターン１２３等が形成された面上であって、接合部８ｆよりも外側で且つ一対の突設部８２ａの間には、複数の接点部１２１，１２７が形成されている。
【０２３１】
このような構成により、ＦＰＣ（外部接続配線部材）２の端面を一対の突設部８２ａの間において外周面８２ｂに当接させてＦＰＣ２の接点部１２１に対する位置決めを行なった後、ＦＰＣ２を接点部１２１，１２７にＴＡＢ方式により電気的に接続する。
【０２３２】
このように、本発明の第３実施形態としてのインクジェットヘッド４００によれば、ＦＰＣ２の端面を一対の突設部８２ａの間において外周面８２ｂに当接させることにより、ＦＰＣ２の接点部１２１に対する位置決めを行なうことができるので、これによりＦＰＣ２と接点部１２１，１２７とを確実に電気的に接続することができるほか、ＦＰＣ２の位置決めのための専用の部品が不要になるのでインクジェットヘッド４００を構成する部品点数を削減することができる。
【０２３３】
（Ｉ）第４実施形態の説明
図３３は本発明の第４実施形態としてのインクジェットヘッドの要部構成を示す斜視図であり、本第４実施形態としてのインクジェットヘッド５００も、上述した第４実施形態のインクジェットヘッド４００と同様に、インクタンク（インク供給部；図示省略）から供給されたインクを吐出する複数のノズル（図示省略）を有するものであって、図３３に示すように、ヘッド本体部３ｈおよび接合部８をそなえて構成されている。
【０２３４】
なお、図中、既述の符号と同一の符号は同一もしくはほぼ同一の部分を示しているので、その詳細な説明は省略する。
【０２３５】
図３３に示すように、本第４実施形態のインクジェットヘッド５００は、図３２に示したインクジェットヘッド４００における接合部８ｆに代えて接合部８をそなえるほか、位置決め部８３をそなえて構成されている。
【０２３６】
ヘッド本体部３ｈの周縁を形成する辺のうち少なくとも１辺の隅部であり、接合部８よりも外側であって、且つ、その個別電極１０９や配線パターン１２３等が形成された面上には、それぞれほぼ円柱状の一対の位置決め部８３が形成されており、又、これら一対の位置決め部８３の間には、複数の接点部１２１，１２７が形成されている。
【０２３７】
また、ＦＰＣ２ａの端部付近における、前述の一対の位置決め部８３に対応する位置には、それぞれ位置決め部８３の断面形状とほぼ同一の位置合わせ穴２ｂが形成されている。
【０２３８】
このような構成により、ＦＰＣ（外部接続配線部材）２ａに形成された位置合わせ穴２ｂの各々を位置決め部８３に嵌合させることにより、ＦＰＣ２ａの接点部１２１，１２７に対する位置決めを行な行なった後、ＦＰＣ２ａを接点部１２１，１２７にＴＡＢ方式により電気的に接続する。
【０２３９】
このように、本発明の第４実施形態としてのインクジェットヘッド５００によれば、ＦＰＣ２ａに形成された位置合わせ穴２ｂを位置決め部８３に嵌合させることにより、ＦＰＣ２ａの接点部１２１，１２７に対する位置決めを行なうことができ、これによりＦＰＣ２と接点部１２１，１２７とを確実に電気的に接続することができる。
【０２４０】
（Ｊ）その他
なお、本発明は上述した各実施形態に限定されるものではなく、本発明の趣旨を逸脱しない範囲で種々変形して実施することができる。
【０２４１】
例えば、上記第１実施形態のインクジェットヘッド１００は（Ａ）層〜（Ｃ）層の３層を接合して形成しているが、それに限定するものではなく、例えば、２層を接合して形成する等、任意の層数で構成することができる。
【０２４２】
また、上記第１実施形態では（Ｂ）層を３層で構成するとともに（接着剤層を除く）、（Ｃ）層を５層により構成してステンレス板１０５ａを積層して形成しているが、それに限定するものではなく、（Ｂ）層や（Ｃ）層をそれぞれ所望の数の層をそなえて構成してもよく、又、各層の厚さも所望の厚さを有して構成してもよい。
【０２４３】
さらに、上記第１実施形態においては、ステンレス板１０５ａをドライフィルムレジスト１０３ｃ上に接合して構成しているが、これに限定するものではなく、（Ｂ）層におけるドライフィルムレジスト１０３ｄ上に形成してもよい。
【０２４４】
またさらに、ステンレス板１０５ａの代わりに、金属やセラミックス以外の材料、例えば、ＰＥＮ等の樹脂やＦＲＰ等のような複合樹脂からなる部材を配設してもよい。なお、これらの部材を配設して構成する場合においては、他のドライフィルムレジスト１０３と類似の熱膨張係数を有するので、接合時等の加熱処理における熱残留応力を低減することができ、インクジェットヘッドの品質を向上ささせることができる。
【０２４５】
さらにまた、各接点部１２１，１２７とＦＰＣ２（２ａ）とをＴＡＢ方式で接続しているが、それに限定されるものではなく種々変形して実施することができる。
【０２４６】
また、第１実施形態の第４変形例，第５変形例，第２実施形態，第３実施形態および第４実施形態のインクジェットヘッド１００（１００ｄ，１００ｅ４００，５００）においては、接合部８（８ｂ，８ｃ，８ｅ，８ｆ）の形状や、インク共通路１１０（１１０ｂ）の形状はそれに限定するものではなく、種々変形して実施することができる。
【０２４７】
さらに、第１実施形態の第１変形例，第２変形例，第２実施形態および第３実施形態においては、配線パターン１２３の形状はそれに限定されるものではなく、第１実施形態のインクジェットヘッドの第４変形例や第５変形例に示すような配線パターン１２３の形状をそなえてもよい。
【０２４８】
なお、本発明の各実施形態が開示されていれば、当業者によって製造することが可能である。
【０２４９】
産業上の利用可能性
以上のように、本発明のインクジェットヘッドおよび印刷装置によれば、ノズル毎の各加圧部の個別電極と外部接続配線部材との結線を容易にし、ヘッド本体部の集積度を向上させて小型化できるので、インクジェットヘッドをそなえた印刷装置のインクジェットヘッドに適用することができる。
【図面の簡単な説明】
【図１】本発明の第１実施形態としてのインクジェットヘッドの全体構成を示す分解斜視図である。
【図２】本インクジェットヘッドをそなえたインクジェットプリンタの構成を示す斜視図である。
【図３】本第１実施形態のインクジェットヘッドのヘッド本体部の構成を説明すべく図１に示すヘッド本体部の水平断面を示す斜視図である。
【図４】図１のＣ部を拡大して示す平面図である。
【図５】図４のＡ−Ａ矢視断面図である。
【図６】図５のＢ−Ｂ矢視断面図である。
【図７】本発明の第１実施形態としてのインクジェットヘッドの接合部を示す断面図である。
【図８】本発明の第１実施形態としてのインクジェットヘッドの配線パターンの要部を拡大して示す平面図である。
【図９】図８のＡ−Ａ線に沿う断面図である。
【図１０】図８のＢ−Ｂ線に沿う断面図である。
【図１１】本発明の第１実施形態としてのインクジェットヘッドの製造方法を説明するための図である。
【図１２】本発明の第１実施形態としてのインクジェットヘッドの製造方法を説明するためのフローチャートである。
【図１３】同じく本発明の第１実施形態としてのインクジェットヘッドの製造方法を説明するためのフローチャートである。
【図１４】同じく本発明の第１実施形態としてのインクジェットヘッドの製造方法を説明するためのフローチャートである。
【図１５】本発明の第１実施形態の第１変形例としてのインクジェットヘッドのヘッド本体部の構成を示す斜視図である。
【図１６】図１５に示すヘッド本体部の水平断面を示す斜視図である。
【図１７】本発明の第１実施形態の第２変形例としてのインクジェットヘッドのヘッド本体部の構成を示す斜視図である。
【図１８】図１７に示すヘッド本体部の水平断面を示す斜視図である。
【図１９（ａ）】本発明の第１実施形態の第３変形例としてのインクジェットヘッドにおけるインクタンクの形状を説明すべくそのインクタンクを示す斜視図である。
【図１９（ｂ）】本発明の第１実施形態の第３変形例としてのインクジェットヘッドのヘッド本体部の構成を示す斜視図である。
【図２０】本発明の第１実施形態の第４変形例としてのインクジェットヘッドにおける配線パターンの要部を拡大して示す平面図である。
【図２１】図２０のＡ−Ａ線に沿う断面図である。
【図２２】図２０のＢ−Ｂ線に沿う断面図である。
【図２３】本発明の第１実施形態の第５変形例としてのインクジェットヘッドにおける配線パターンの要部を拡大して示す平面図である。
【図２４】図２３のＡ−Ａ線に沿う断面図である。
【図２５】図２３のＢ−Ｂ線に沿う断面図である。
【図２６】本発明の第２実施形態としてのインクジェットヘッドのヘッド本体部の構成を示す斜視図である。
【図２７】図２６のＡ矢視図である。
【図２８】図２６のＢ部を拡大して示す平面図である。
【図２９】図２８のＡ−Ａ線に沿う断面図である。
【図３０】図２７のＣ部を拡大して示す平面図である。
【図３１】図２８のＢ−Ｂ線に沿う断面図である。
【図３２】本発明の第３実施形態としてのインクジェットヘッドのヘッド本体部の構成を示す斜視図である。
【図３３】本発明の第４実施形態としてのインクジェットヘッドの要部構成を示す斜視図である。
【図３４】従来のインクジェットヘッドの要部構成を説明するための分解斜視図である。
【図３５】従来のインクジェットヘッドにおける配線手法を説明するための図である。
【図１】
0004554135.tif 000002
【図２】
0004554135.tif 000003
【図３】
0004554135.tif 000004
【図４】
0004554135.tif 000005
【図５】
0004554135.tif 000006
【図６】
0004554135.tif 000007
【図７】
0004554135.tif 000008
【図８】
0004554135.tif 000009
【図９】
0004554135.tif 000010
【図１０】
0004554135.tif 000011
【図１１】
0004554135.tif 000012
【図１２】
0004554135.tif 000013
【図１３】
0004554135.tif 000014
【図１４】
0004554135.tif 000015
【図１５】
0004554135.tif 000016
【図１６】
0004554135.tif 000017
【図１７】
0004554135.tif 000018
【図１８】
0004554135.tif 000019
【図１９（ａ）】
0004554135.tif 000020
【図１９（ｂ）】
0004554135.tif 000021
【図２０】
0004554135.tif 000022
【図２１】
0004554135.tif 000023
【図２２】
0004554135.tif 000024
【図２３】
0004554135.tif 000025
【図２４】
0004554135.tif 000026
【図２５】
0004554135.tif 000027
【図２６】
0004554135.tif 000028
【図２７】
0004554135.tif 000029
【図２８】
0004554135.tif 000030
【図２９】
0004554135.tif 000031
【図３０】
0004554135.tif 000032
【図３１】
0004554135.tif 000033
【図３２】
0004554135.tif 000034
【図３３】
0004554135.tif 000035
【図３４】
0004554135.tif 000036
【図３５】
0004554135.tif 000037